(57)【要約】【課題】本発明は、就寝時に日常生活で緊張し収縮した首筋を伸ばし、血流の促進により安眠効果を齎す牽引機能を有する健康板バネ及び牽引機能を有する健康枕を提供する事を目的とするものである。牽引機能を有する健康板バネ及び牽引機能を有する健康枕の提供を目的とする【解決手段】健康板バネ（１）を、四角形の２角が該牽引機能を有する健康板バネの右湾曲部（１ｂ）及び左湾曲部（１ｃ）の湾曲に合わせて丸みを帯びた右湾曲保護部（２ａ）と左湾曲保護部（２ｂ）からなり、該牽引機能を有する健康板バネが妨げられることなく開閉できる保護クッション（２ｃ）で包む手段を講じた。【選択図】図４
2005074202.tif 000002
【特許請求の範囲】
【請求項１】
弾力性及び復元力を有する一枚の板バネ全長の右端から５分の３前後の点で約５度から約４５度の角度で屈折する屈折部（１ａ）と右端及び左端が外側に向かって湾曲する右湾曲部（１ｂ）と左湾曲部（１ｃ）からなる牽引機能を有する健康板バネ（１）。
【請求項２】
請求項１で記された牽引機能を有する健康板バネ（１）を、四角形の２角が該牽引機能を有する健康板バネの右湾曲部（１ｂ）及び左湾曲部（１ｃ）の湾曲に合わせて丸みを帯びた右湾曲保護部（２ａ）と左湾曲保護部（２ｂ）からなり、該牽引機能を有する健康板バネが妨げられることなく開閉できる保護クッション（２ｃ）で包んだ牽引機能を有する健康枕（２）。
【発明の詳細な説明】
【発明の詳細な説明】
【技術分野】
【０００１】本発明は、就寝時にバネの開閉運動によって首の牽引並びに首筋を伸ばし、健康的で快適な唾眠を齎す牽引機能付き健康枕に関するものである。
【背景技術】
【０００２】現在、安眠を提供する目的で健康枕が注目されており形状及び素材及び機能の異なる多種多様の枕が開発されている。例えば人体の頭の外形に合わせた形状を有する枕や振動機構により頭部をマッサージする枕、マイナスイオンを増加させる炭及びトルマリンの配合された枕、ハーブや香水を有する枕等が挙げられる。【０００３】又、最近では体圧分散機能を持つ特殊素材により体圧を均一に吸収、分散して身体を支え血行を妨げない低反発枕が市販されている。【０００４】上記健康枕の安眠効果に関して、人体の頭の外形に合わせた形状を有する枕は仰向けになる際無理に体制を変える事無く自然な位置で姿勢を保てることによる安眠効果であり、マイナスイオンを増加させる炭及びトルマリンの配合された枕は家電や建築塗料等から放出される頭痛や吐き気等人体に悪影響を及ぼすプラスイオンを減少させ身体の機能を回復させるマイナスイオンを大量に放出する事による安眠効果であり、ハーブや香水を含む枕は嗅覚を刺激しその香りが作用する精神安定からの安眠効果である。【０００５】この様に、安眠効果は多様であるが、最近では血液循環の促進による安眠効果が注目されているが、首筋を伸ばし牽引作用が安眠効果を齎す健康枕は開発されていなかった。
【発明が解決しようとする課題】
【０００６】本発明は、就寝時に日常生活で緊張し収縮した首筋を伸ばし、血流を促進させる事により安眠効果を齎す牽引機能を有する健康板バネ及び牽引機能を有する健康枕を提供する事を目的とするものである。
【課題を解決するための手段】
【０００７】本発明は、請求項１は力性及び復元力を有する一枚の板バネ全長の右端から５分の３前後の点で約５度から約４５度の角度で屈折する屈折部（１ａ）と右端及び左端が外側に向かって湾曲する右湾曲部（１ｂ）と左湾曲部（１ｃ）を設ける手段を講じたものである。
【０００８】請求項２は、請求項１で記された牽引機能を有する健康板バネ（１）を、四角形の２角が該牽引機能を有する健康板バネの右湾曲部（１ｂ）及び左湾曲部（１ｃ）の湾曲に合わせて丸みを帯びた右湾曲保護部（２ａ）と左湾曲保護部（２ｂ）からなり、該牽引機能を有する健康板バネが妨げられることなく開閉できる保護クッション（２ｃ）で包む手段を講じたものである。
【発明を実施するための最良の形態】
【０００９】以下、本発明の実施の形態を図面に従って説明する。図１は請求項１に記された牽引機能を有する健康板バネの側面図であり、図２は該健康板バネの立体図である。弾力性及び復元力を有する一枚の板バネ全長の右端から５分の３前後の点で約５度から約４５度の角度で屈折する屈折部１ａと右端及び左端が外側に向かって湾曲する右湾曲部１ｂと左湾曲部１ｃからなるものである。【００１０】１ｂの右湾曲部は使用時に高頭部が接触する部位であり、１ｃの左湾曲部は首及び肩が接触する部位である。１ａの屈折部は該右湾曲部及び該左湾曲部がバネの弾力によって開閉する際の支点である。【００１１】該屈折部は中心からやや左に位置する。バネの開く運動により該右湾曲部が頭部を、該左湾曲部が首及び肩を相反する方向へ力が働く。この力によって高頭部及び首筋の筋肉が牽引される。又、該屈折部は中心から左端よりに位置しているが、これにより就寝時に頭部が低いと血液の循環が円滑に行われず気分を悪くしたり、脳内出血を煩う可能性があるが、屈折部を中心からずらし屈折部から両端への長さを不均等する事で両端に高低が生まれ、就寝時に高頭部が身体より高く位置し快適に睡眠をとることが出来る。【００１２】又、該屈折部の屈折角度は使用時にバネの開閉運動を円滑に行う為に垂直ではなく約５度から約４５度である。垂直であれば内側にバネの力が働き該健康板バネが閉じてしまうが、やや外側に開いた状態であればバネの力が外側に働くので該健康板バネの牽引がスムーズに行われる。【００１３】該牽引機能を有する健康板バネの両端である該右湾曲部及び該左湾曲部は、使用時に高頭部及び首の接触部の圧力及び衝撃を緩和させる為、直線ではなく外側に向かって緩やかに湾曲している。これにより就寝時に接触部を痛める心配はない。【００１４】図３は請求項２記された牽引機能を有する健康枕の側面図であり、図２は該健康枕の立体図である。牽引機能を有する健康板バネ（１）を、四角形の２角が該牽引機能を有する健康板バネの右湾曲部（１ｂ）及び左湾曲部（１ｃ）の湾曲に合わせて丸みを帯びた右湾曲保護部（２ａ）と左湾曲保護部（２ｂ）からなり、該牽引機能を有する健康板バネが妨げられることなく開閉できる保護クッション（２ｃ）で包んだものである。【００１５】２の保護クッションにおける２ａの右湾曲保護部は使用時に高頭部が接触する部位であり、２ｂの左湾曲保護部は首及び肩が接触する部位である。枕は通常長方形である場合が多いが、２角が該健康板バネの湾曲に合わせてそれぞれが丸みを帯び、両者間は該健康板バネの形状に合わせ谷ができている。これにより  長方形と比較し該健康板バネの右湾曲部及び左湾曲部周辺の長さがより長く保たれるので、使用時に頭部及び首の重力で加えられた圧力によって行われる該健康板バネの開閉運動妨害を防げることなく、牽引が可能となる。【００１６】該保護クッション下部は該健康枕の安定を保つ為、該健康板バネの形状に合わせるのではなく長方形である。該健康枕が安定することによって牽引効果を得ることが出来る。
【図面の簡単な説明】
【００１７】
【図１】請求項１の実施形態の側面図である。
【図２】請求項１の実施形態の立体図である。
【図３】請求項２の実施形態の側面図である。
【図４】請求項２の実施形態の立体図である。
【符号の説明】
【００１８】  １  ・・牽引機能を有する健康板バネ
１ａ・・屈折部
１ｂ・・右湾曲部
１ｃ・・左湾曲部
２  ・・牽引機能を有する健康枕
２ａ・・右湾曲保護部
２ｂ・・左湾曲保護部
２ｃ・・保護クッション
【図１】
2005074202.tif 000003
【図２】
2005074202.tif 000004
【図３】
2005074202.tif 000005
【図４】
2005074202.tif 000006